Podtech/llm-jp-corpus-v4-ja_patent huggingface dataset:
【手続補正書】
【提出日】平成20年7月10日(2008.7.10)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が配列された複数の周回体と、
前記各周回体について各絵柄のうち一部の絵柄を視認可能とする表示窓と、
前記各周回体の周回を開始させるべく操作される始動操作手段と、
前記始動操作手段の操作に基づいて、所定絵柄役及び特定絵柄役等の役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記各停止操作手段の操作に基づいて、該各停止操作手段の操作タイミングから予め定めた規定期間内に、操作された停止操作手段と対応する周回体の周回を停止させるよう前記各駆動手段を停止駆動制御する停止駆動制御手段と、
前記抽選手段の抽選結果が前記所定絵柄役当選であって、前記表示窓から視認できる有効位置に所定絵柄又は所定絵柄の組合せが停止した場合、遊技者に特典を付与する特典付与手段と、
前記抽選手段の抽選結果が前記特定絵柄役当選であって、前記有効位置に前記特定絵柄の組合せが停止した場合、所定の終了条件が成立するまで、遊技状態を遊技者に有利な特別遊技状態に移行させる特別遊技状態移行手段と
を備えた遊技機において、
前記抽選手段の抽選結果が前記特定絵柄役当選である場合、前記特定絵柄の組合せが前記有効位置に停止するまで前記特定絵柄役当選を留保する留保手段を備え、
前記各周回体に、前記所定絵柄と前記特定絵柄を配置すると共に、前記特定絵柄を１つずつ配置したことを特徴とする遊技機。
【請求項２】
周方向に周回すると共に、該周方向に複数種の絵柄が配列された複数の周回体と、
前記各周回体について各絵柄のうち一部の絵柄を視認可能とする表示窓と、
前記各周回体の周回を開始させるべく操作される始動操作手段と、
前記始動操作手段の操作に基づいて、所定絵柄役及び特定絵柄役等の役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記各停止操作手段の操作に基づいて、該各停止操作手段の操作タイミングから予め定めた規定期間内に、操作された停止操作手段と対応する周回体の周回を停止させるように、且つ前記役の抽選に当選した場合には、該当選役と対応する絵柄が前記表示窓から視認できる有効位置に停止し得るように前記各駆動手段を停止駆動制御する停止駆動制御手段と、
前記抽選手段の抽選結果が前記所定絵柄役当選であって、前記有効位置に所定絵柄又は所定絵柄の組合せが停止した場合、遊技者に特典を付与する特典付与手段と、
前記抽選手段の抽選結果が前記特定絵柄役当選であって、前記有効位置に前記特定絵柄の組合せが停止した場合、所定の終了条件が成立するまで、遊技状態を遊技者に有利な特別遊技状態に移行させる特別遊技状態移行手段と
を備えた遊技機において、
前記抽選手段の抽選結果が前記特定絵柄役当選であって前記有効位置に前記特定絵柄の組合せが停止しなかった場合、前記特定絵柄役当選を留保する留保手段と、
前記停止操作手段が操作された場合に予め設定した基準位置に到達している到達絵柄と、前記規定期間が経過するまでに前記基準位置に停止させる停止絵柄との関係を定め得る停止情報群を複数記憶する停止情報群記憶手段と、
前記抽選手段の抽選結果に応じて前記複数の停止情報群から１つの停止情報群を選択する停止情報群選択手段と、
該停止情報群選択手段の選択した停止情報群を格納する停止情報群格納手段と
を備え、
前記停止駆動制御手段を、前記停止情報群格納手段に格納された停止情報群に基づいて前記各駆動手段を停止駆動制御する構成とし、
前記各周回体に、前記所定絵柄と前記特定絵柄を配置すると共に、前記特定絵柄を１つずつ配置したことを特徴とする遊技機。
【請求項３】
前記各周回体の絵柄配列を、前記特定絵柄と、前記各停止操作手段の操作タイミングに関わらず前記規定期間内に前記有効位置に到達し得るように配置した第１所定絵柄と、前記各停止操作手段が所定のタイミングで操作された場合に限り前記規定期間内に前記有効位置に到達し得るように配置した第２所定絵柄とを含む構成とし、
遊技媒体を受入させる受入手段と、
前記受入手段からの遊技媒体受入を検出し、予め定められた規定数を上限として遊技の賭数を設定する賭数設定手段と、
前記表示窓から視認できる視認範囲に、前記賭数設定手段の設定した賭数に応じた有効位置を設定する有効位置設定手段と
を備え、
前記特定絵柄と前記第２所定絵柄を、前記有効位置設定手段の設定し得る有効位置に同時に停止しないよう離間して配置したことを特徴とする請求項２に記載の遊技機。
【請求項４】
前記停止情報群選択手段を、前記特定絵柄役当選が留保されている状況下で前記第２所定絵柄役に当選した場合、前記特定絵柄を前記規定期間内に前記有効位置に停止させることが可能であれば該特定絵柄を前記有効位置に優先して停止させるように定めた、特定停止情報群を選択する構成としたことを特徴とする請求項３に記載の遊技機。
【手続補正書】
【提出日】平成20年7月10日(2008.7.10)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が配列された複数の周回体と、
前記各周回体について各絵柄のうち一部の絵柄を視認可能とする表示窓と、
遊技媒体を受入させる受入手段と、
前記遊技媒体受入を検出し、予め定められた規定数を上限として遊技の賭数を設定する賭数設定手段と、
前記表示窓から視認できる視認範囲に、前記賭数設定手段の設定した賭数に応じた有効位置を設定する有効位置設定手段と、
前記各周回体の周回を開始させるべく操作される始動操作手段と、
前記賭数設定手段が前記賭数を設定した場合、前記始動操作手段の操作に基づき、前記賭数と対応した当選確率で所定絵柄役及び特定絵柄役等の役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記各停止操作手段の操作に基づいて、該各停止操作手段の操作タイミングから予め定めた規定期間内に、操作された停止操作手段と対応する周回体の周回を停止させるように、且つ前記役の抽選に当選した場合には、該当選役と対応する絵柄が前記有効位置に停止し得るように前記各駆動手段を停止駆動制御する停止駆動制御手段と、
前記有効位置に停止した絵柄が予め定めた入賞態様を形成している場合、遊技者に特典を付与する特典付与手段と
を備えた遊技機において、
前記特典付与手段を、前記各周回体に付された所定絵柄が所定の組合せを形成した場合、又は規定の周回体に付された特定絵柄が前記有効位置に停止した場合に、前記入賞態様成立として前記特典を付与する構成とし、
前記規定の周回体に、前記特定絵柄と、前記所定絵柄と、前記入賞態様に関与しない非入賞絵柄とを配置し、
前記特定絵柄が移動する上流側及び下流側に、該特定絵柄と並ぶようにして、前記非入賞絵柄を配置したことを特徴とする遊技機。
【請求項２】
周方向に周回すると共に、該周方向に複数種の絵柄が配列された複数の周回体と、
前記各周回体について各絵柄のうち一部の絵柄を視認可能とする表示窓と、
遊技媒体を受入させる受入手段と、
前記遊技媒体受入を検出し、予め定められた規定数を上限として遊技の賭数を設定する賭数設定手段と、
前記表示窓から視認できる視認範囲に、前記賭数設定手段の設定した賭数に応じた有効位置を設定する有効位置設定手段と、
前記各周回体の周回を開始させるべく操作される始動操作手段と、
前記賭数設定手段が前記賭数を設定した場合、前記始動操作手段の操作に基づき、前記賭数と対応した当選確率で所定絵柄役及び特定絵柄役等の役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記各停止操作手段の操作に基づいて、該各停止操作手段の操作タイミングから予め定めた規定期間内に、操作された停止操作手段と対応する周回体の周回を停止させるように、且つ前記役の抽選に当選した場合には、該当選役と対応する絵柄が前記有効位置に停止し得るように前記各駆動手段を停止駆動制御する停止駆動制御手段と、
前記有効位置に停止した絵柄が予め定めた入賞態様を形成している場合、遊技者に特典を付与する特典付与手段と
を備えた遊技機において、
前記停止操作手段が操作された場合に予め設定した基準位置に到達している到達絵柄と、前記規定期間が経過するまでに前記基準位置に停止させる停止絵柄との関係を定め得る停止情報群を複数記憶する停止情報群記憶手段と、
前記抽選手段の抽選結果に応じて前記複数の停止情報群から１つの停止情報群を選択する停止情報群選択手段と、
該停止情報群選択手段の選択した停止情報群を格納する停止情報群格納手段と
を備え、
前記停止駆動制御手段を、前記停止情報群格納手段に格納された停止情報群に基づいて前記各駆動手段を停止駆動制御する構成とし、
前記特典付与手段を、前記各周回体に付された所定絵柄が前記有効位置で所定の組合せを形成した場合、又は規定の周回体に付された特定絵柄が前記有効位置に停止した場合に、前記入賞態様成立として前記特典を付与する構成とし、
前記規定の周回体に、前記特定絵柄と、前記所定絵柄と、前記入賞態様に関与しない非入賞絵柄とを配置し、
さらに、前記特定絵柄が移動する上流側及び下流側に、該特定絵柄と隣り合うようにして前記非入賞絵柄を配置したことを特徴とする遊技機。
【請求項３】
前記所定絵柄として、前記停止操作手段の操作タイミングに関わらず前記規定期間内に前記有効位置に到達し得る第１所定絵柄と、前記停止操作手段が所定のタイミングで操作された場合に限り前記規定期間内に前記有効位置に到達し得る第２所定絵柄とを前記規定の周回体に配置し、
前記特定絵柄と前記第２所定絵柄を、前記有効位置設定手段の設定し得る有効位置に同時に停止しないよう離間して配置したことを特徴とする請求項１又は２に記載の遊技機。
【手続補正書】
【提出日】平成20年6月25日(2008.6.25)
【手続補正１】
【補正対象書類名】特許請求の範囲
【補正対象項目名】全文
【補正方法】変更
【補正の内容】
【特許請求の範囲】
【請求項１】
インクのメニスカスが形成されたノズルのインク吐出口から記録媒体にインクを吐出して画像を形成する印刷ヘッドを有するインクジェット方式画像形成装置における、記録媒体に形成される画像の情報を担持する画像データに基づいてインク滴を吐するインク吐出方法において、
前記印刷ヘッドを複数有し、前記画像データを複数のラスタに分割して前記複数の印刷ヘッドの各インク吐出口から選択的にインク滴を吐出し、且つ、前記画像データに基づいて前記ノズル内のインクに作用する圧力を変えることにより、前記インク吐出口から吐出されるインク滴の大きさを変更することを特徴とするインク吐出方法。
【請求項２】
濃度の高い画像を形成する際には、濃度の低い画像を形成するときよりも、前記インク吐出口から吐出されるインク滴を大きくすることを特徴とする請求項１に記載のインク吐出方法。
【請求項３】
濃度の低い画像を形成する際には、濃度の高い画像を形成するときよりも、前記インク吐出口から吐出されるインク滴を小さくすることを特徴とする請求項１又は２に記載のインク吐出方法。
【請求項４】
前記インクジェット方式画像形成装置は、それぞれに多数の前記ノズルが形成された複数の印刷ヘッドを備えたものであり、
前記インク滴の大きさを、前記複数の印刷ヘッド毎に変更することを特徴とする請求項１、２、又は３に記載のインク吐出方法。
【請求項５】
インクのメニスカスが形成されたノズルのインク吐出口から記録媒体にインクを吐出して画像を形成する印刷ヘッドを有するインクジェット方式画像形成装置における、記録媒体に形成される画像の情報を担持する画像データに基づいてインク滴を吐するインク吐出方法において、
前記印刷ヘッドを複数有し、前記画像データを複数のラスタに分割して前記複数の印刷ヘッドの各インク吐出口から選択的にインク滴を吐出し、且つ、前記画像データに基づいて前記ノズル内のインクに作用する圧力を変えることにより、前記ノズル内における前記メニスカスの位置を変更することを特徴とするインク吐出方法。
【請求項６】
インクのメニスカスが形成されたノズルのインク吐出口から記録媒体にインクを吐出して画像を形成する印刷ヘッドを有するインクジェット方式画像形成装置における、記録媒体に形成される画像の情報を担持する画像データに基づいてインク滴を吐するインク吐出方法において、
前記印刷ヘッドを複数有し、前記画像データを複数のラスタに分割して前記複数の印刷ヘッドの各インク吐出口から選択的にインク滴を吐出し、且つ、前記画像データに基づいてメニスカスの位置を変更することにより前記インク吐出口から吐出されるインク滴の大きさを変更することを特徴とするインク吐出方法。
【請求項７】
前記メニスカスの位置を変更するに当たり、前記ノズル内のインクに作用する圧力を変更することにより前記メニスカスの位置を変更することを特徴とする請求項６に記載のインク吐出方法。
【請求項８】
濃度の高い画像を形成する際には、濃度の低い画像を形成するときよりも、前記メニスカスの位置を前記インク吐出口に近付けることを特徴とする請求項６又は７に記載のインク吐出方法。
【請求項９】
濃度の低い画像を形成する際には、濃度の高い画像を形成するときよりも、前記メニスカスの位置を前記インク吐出口から遠ざけることを特徴とする請求項６、７、又は８に記載のインク吐出方法。
【請求項１０】
前記インクジェット方式画像形成装置は、それぞれに多数の前記ノズルが形成された複数の印刷ヘッドを備えたものであり、
前記メニスカスの位置を、前記複数の印刷ヘッド毎に変更することを特徴とする請求項６から９までのうちのいずれか一項に記載のインク吐出方法。
【請求項１１】
請求項１から１０までのうちのいずれか一項に記載のインク吐出方法によって記録媒体にインクを吐出して画像を形成することを特徴とする画像形成方法。
【請求項１２】
請求項１１に記載の画像形成方法によって記録媒体に画像を形成することを特徴とするインクジェット方式画像形成装置。
【手続補正書】
【提出日】平成20年7月3日(2008.7.3)
【手続補正１】
【補正対象書類名】特許請求の範囲
【補正対象項目名】全文
【補正方法】変更
【補正の内容】
【特許請求の範囲】
【請求項１】
画像形成される記録媒体に30GHz〜30THzの周波数帯域から選択された周波数を有する電磁波を照射する電磁波照射手段と、
記録媒体で反射された反射電磁波を検出する検出手段と、
複数の記録媒体の状態に対応した反射電磁波のデータを格納する格納手段と、
前記格納されたデータと前記検出された反射電磁波の検出データとを比較して電磁波の照射された記録媒体の状態を判別する判別手段と、
前記判別結果を基に該記録媒体に対する画像形成条件を設定する設定手段を有することを特徴とする画像形成装置。
【請求項２】
前記電磁波は、前記周波数帯域のフーリエスペクトルを含むパルス、あるいは前記周波数帯域で単一周波数を持つ連続的な電磁波であることを特徴とする請求項１に記載の画像形成装置。
【請求項３】
前記判別手段は、記録媒体の界面における反射電磁波の検出データを用いた前記比較により記録媒体の種別を判別することを特徴とする請求項１あるいは２に記載の画像形成装置。
【請求項４】
前記画像形成される記録媒体は複数積層されており、前記判別手段は、各記録媒体の界面における反射電磁波の成分の検出データを用いた前記比較により各記録媒体の種別を判別し、前記設定手段は、前記判別結果を基に各記録媒体に対する画像形成条件を設定することを特徴とする請求項３に記載の画像形成装置。
【請求項５】
前記電磁波照射手段により電磁波が照射される記録媒体の領域が、記録媒体の画像形成された部分を含み、前記検出手段は、画像形成された部分で反射された反射電磁波を検出し、前記格納手段は、画像形成される部分の状態に対応した反射電磁波のデータを格納し、前記判別手段は、前記比較により画像形成された部分の状態を判別し、前記設定手段は、前記判別結果を基に画像形成される部分に対する画像形成条件を設定することを特徴とする請求項１乃至４のいずれか１項に記載の画像形成装置。
【請求項６】
テラヘルツ領域の周波数を有する電磁波を発生させるための発生部と、
記録媒体で反射した前記電磁波を検出するための検出部と、
前記検出部が前記反射した電磁波を検出する時間あるいは前記検出部からの信号と前記発生部からの信号とをミキシングする時間を遅延するための遅延部と、
前記遅延部を用いて得る、前記反射した電磁波の時間波形を取得するための演算部と、
記録媒体の種別を検出するための情報あるいは記録媒体への印字状態を検出するための情報を予め記憶するための記憶部と、を有し、
前記演算部が前記時間波形を用いて得る、記録媒体の種別を検出するための情報あるいは記録媒体への印字状態を検出するための情報と、前記記憶部が記憶する情報とを比較することにより、記録媒体の種別あるいは記録媒体への印字状態を検出することを特徴とする画像形成装置。
【請求項７】
前記検出した記録媒体の種別あるいは記録媒体への印字状態から、該記録媒体に画像を形成するための条件を設定することを特徴とする請求項６に記載の画像形成装置。
【請求項８】
前記時間波形が有しているパルスを数えることにより、積層された記録媒体の厚さ方向に関する該記録媒体ごとの位置を取得し、
前記時間波形が有しているパルスごとに前記記録媒体の種別あるいは記録媒体への印字状態を検出することを特徴とする請求項６あるいは７に記載の画像形成装置。
【請求項９】
前記記録媒体の種別を検出するための情報は、前記時間波形が有しているパルスの強度が減少する割合、伝播遅延量、吸収される周波数のうち少なくとも１つであることを特徴とする請求項６乃至８のいずれか１項に記載の画像形成装置。
【請求項１０】
前記記録媒体への印字状態を検出するための情報は、該記録媒体に印字したインクの乾燥度あるいは記録媒体へのインクの染み込み具合であることを特徴とする請求項６乃至９のいずれか１項に記載の画像形成装置。
【手続補正２】
【補正対象書類名】明細書
【補正対象項目名】０００８
【補正方法】変更
【補正の内容】
【０００８】
以下に、本発明による画像形成装置の一実施形態を説明する。本実施形態では、電磁波照射手段により、印字媒体などの記録媒体に30GHz〜30THzの周波数範囲の高周波の電磁波を照射する。この電磁波は、半値幅が１０−12秒以下で前記周波数範囲のフーリエスペクトルを含んでいる連続的に発生する電磁波パルス、或いは前記周波数範囲で単一周波数を持つ連続的な高コヒーレンスの電磁波である。検出手段は、記録媒体の反射により伝播状態が変化した反射電磁波を検出する。一方、格納手段には、各種の記録媒体の状態に起因して伝播状態が変化する記録媒体からの反射電磁波のデータが格納されていて、判別手段は、前記格納されたデータと前記検出された反射電磁波の検出データとを比較して電磁波の照射された記録媒体の状態を判別する。そして、設定手段は、前記判別を基に該記録媒体に対する画像形成条件を自動的に最適に設定する。
【手続補正３】
【補正対象書類名】明細書
【補正対象項目名】００１０
【補正方法】変更
【補正の内容】
【００１０】
本実施形態では、記録媒体の状態の読み取り用の電磁波としてミリ波〜テラヘルツ領域（30GHz〜30THz）のフーリエ周波数を含むものを用いる。テラヘルツ領域の電磁波を用いれば、印字媒体であるシート状の紙やプラスチックなどの透過性が高いために厚さ方向への伝播が可能であり、さらに物質の誘電率の変化によって反射、伝播遅延などが生じるために記録媒体の状態ないし性状に応じた情報を容易に取得することができる。
【手続補正書】
【提出日】平成19年11月28日(2007.11.28)
【手続補正１】
【補正対象書類名】明細書
【補正対象項目名】００４９
【補正方法】変更
【補正の内容】
【００４９】
【図１】本発明の一実施形態に係るばね成形機の正面図
【図２】線材が成形工具に摺接して成形されたコイルばねの斜視図
【図３】線材送給装置の側断面図
【図４】ローラの側断面図
【図５】線材送給装置の平断面図
【図６】線材送給装置の背断面図
【図７】従来の線材送給装置の正面図
【手続補正書】
【提出日】平成20年6月3日(2008.6.3)
【手続補正１】
【補正対象書類名】特許請求の範囲
【補正対象項目名】全文
【補正方法】変更
【補正の内容】
【特許請求の範囲】
【請求項１】
複数個のヒダ山が形成された濾過部と該濾過部の外周縁に配設されたフランジ部とを有するフィルタであって、前記濾過部は複数個のヒダ山を有するヒダ状部と該ヒダ状部の側面を閉塞する側面部とを備え、前記濾過部と前記フランジ部とは、生分解性を有する脂肪族ポリエステル系の不織布によって構成され、さらに前記フランジ部がプレス加工されていることを特徴とするフィルタ。
【請求項２】
前記脂肪族ポリエステルがポリ乳酸であることを特徴とする請求項１に記載のフィルタ。
【請求項３】
前記不織布は、該不織布を構成する繊維重量に対して０．１〜２０重量％の範囲内の結晶化促進剤を含んでいることを特徴とする請求項１または２に記載のフィルタ。
【請求項４】
前記結晶化促進剤が、結晶核剤および／または可塑剤であることを特徴とする請求項３に記載のフィルタ。
【請求項５】
前記結晶核剤が、タルク、有機カルボン酸金属塩および有機カルボン酸アミドからなる群から選択された少なくとも１種であることを特徴とする請求項４に記載のフィルタ。
【請求項６】
請求項１〜５のいずれかに記載されたフィルタと、該フィルタを装着するフィルタ枠とを備えていることを特徴とするフィルタユニット。
【手続補正２】
【補正対象書類名】明細書
【補正対象項目名】０００６
【補正方法】変更
【補正の内容】
【０００６】
上記課題を解決するための本発明は、次の（１）〜（６）を特徴とするものである。
（１）複数個のヒダ山が形成された濾過部と該濾過部の外周縁に配設されたフランジ部とを有するフィルタであって、前記濾過部は複数個のヒダ山を有するヒダ状部と該ヒダ状部の側面を閉塞する側面部とを備え、前記濾過部と前記フランジ部とは、生分解性を有する脂肪族ポリエステル系の不織布によって構成され、さらに前記フランジ部がプレス加工されていることを特徴とするフィルタ。
（２）前記脂肪族ポリエステルがポリ乳酸であることを特徴とする上記（１）に記載のフィルタ。
（３）前記不織布は、該不織布を構成する繊維重量に対して０．１〜２０重量％の範囲内の結晶化促進剤を含んでいることを特徴とする上記（１）または（２）に記載のフィルタ。
（４）前記結晶化促進剤が、結晶核剤および／または可塑剤であることを特徴とする上記（３）に記載のフィルタ。
（５）前記結晶核剤が、タルク、有機カルボン酸金属塩および有機カルボン酸アミドからなる群から選択された少なくとも１種であることを特徴とする上記（３）に記載のフィルタ。
（６）上記（１）〜（５）のいずれかに記載されたフィルタと、該フィルタを装着するフィルタ枠とを備えていることを特徴とするフィルタユニット。
【手続補正書】
【提出日】平成20年2月14日(2008.2.14)
【手続補正１】
【補正対象書類名】明細書
【補正対象項目名】００１０
【補正方法】変更
【補正の内容】
【００１０】
前記の水溶性樹脂は、例えば、親水性構造単位としてヒドロキシ基を有する樹脂であるポリビニルアルコール系樹脂｛ポリビニルアルコール（ＰＶＡ）、アセトアセチル変性ポリビニルアルコール、カチオン変性ポリビニルアルコール、アニオン変性ポリビニルアルコール、シラノール変性ポリビニルアルコール、ポリビニルアセタール等｝、セルロース系樹脂｛メチルセルロース（ＭＣ）、ヒドロキシエチルセルロース（ＨＥＣ）、カルボキシメチルセルロース（ＣＭＣ）、ヒドロキシプロピルセルロース（ＨＰＣ）、ヒドロキシエチルメチルセルロース、ヒドロキシプロピルメチルセルロース等｝、キチン類、キトサン類、デンプン、エーテル結合を有する樹脂｛ポリエチレンオキサイド（ＰＥＯ）、ポリプロピレンオキサイド（ＰＰＯ）、ポリエチレングリコール（ＰＥＧ）、ポリビニルエーテル（ＰＶＥ）等｝、カルバモイル基を有する樹脂｛ポリアクリルアミド（ＰＡＡＭ）、ポリビニルピロリドン（ＰＶＰ）、ポリアクリル酸ヒドラジド等｝等が挙げられる。これらの水溶性樹脂の中でも、Ｎ原子を含まないことが好ましく、前記ポリビニルアルコール系樹脂及び多糖類は、生分解性であり、また窒素分を含まないので、排水（又は汚水）浄化槽への適用には好適である。
【手続補正書】
【提出日】平成20年2月5日(2008.2.5)
【手続補正１】
【補正対象書類名】特許請求の範囲
【補正対象項目名】全文
【補正方法】変更
【補正の内容】
【特許請求の範囲】
【請求項１】
膜モジュールを使用して原水の水質を改善する膜濾過システムにおいて、
前記膜モジュールに供給される前記原水のマンガン濃度を測定するマンガン濃度分析計と、
このマンガン濃度分析計の測定結果に基づき、前記膜モジュールで膜濾過処理される前記原水の流量を制御する膜処理水量目標値演算装置と、
を備えたことを特徴とする膜濾過システム。
【請求項２】
膜モジュールを使用して原水の水質を改善する膜濾過システムにおいて、
前記膜モジュールに供給される前記原水のマンガン濃度を測定するマンガン濃度分析計と、
前記膜モジュールに供給される前記原水の濁度を測定する濁度計と、
前記濁度計の測定結果と前記マンガン濃度分析計の測定結果とに基づき、前記膜モジュールで膜濾過される前記原水の流量を制御する膜処理水量目標値演算装置と、
を備えたことを特徴とする膜濾過システム。
【請求項３】
膜モジュールを使用して原水の水質を改善する膜濾過システムにおいて、
前記膜モジュールに供給される前記原水のマンガン濃度を測定するマンガン濃度分析計と、
前記マンガン濃度分析計の測定結果に基づいて、前記膜モジュールに対する逆洗開始時期を制御する逆先運転制御装置と、
を備えたことを特徴とする膜濾過システム。
【請求項４】
膜モジュールを使用して原水の水質を改善する膜濾過システムにおいて、
前記膜モジュールに供給される前記原水のマンガン濃度を測定するマンガン濃度分析計と、
前記膜モジュールに供給される前記原水の濁度を測定する濁度計と、
前記マンガン濃度分析計の測定結果と前記濁度計の測定結果に基づいて、前記膜モジュールに対する逆洗開始時期を制御する逆先運転制御装置と、
を備えたことを特徴とする膜濾過システム。
【請求項５】
膜モジュールを使用して原水の水質を改善する膜濾過システムにおいて、
前記膜モジュールに供給される前記原水のマンガン濃度を測定するマンガン濃度分析計と、
前記マンガン濃度分析計の測定結果に基づいて、前記膜モジュールに対する薬品洗浄開始時期を判断する薬品洗浄時期判断装置と、
を備えたことを特徴とする膜濾過システム。
【請求項６】
膜モジュールを使用して原水の水質を改善する膜濾過システムにおいて、
前記膜モジュールに供給される前記原水のマンガン濃度を測定するマンガン濃度分析計と、
前記膜モジュールに供給される前記原水の濁度を測定する濁度計と、
前記マンガン濃度分析計の測定結果と前記濁度計の測定結果に基づいて、前記膜モジュールに対する薬品洗浄開始時期を判断する薬品洗浄時期判断装置と、
を備えたことを特徴とする膜濾過システム。
【請求項７】
請求項１乃至６に記載の膜濾過システムにおいて、
マンガン濃度を分析する前記マンガン分析計として、連続型イオンクロマトグラフィを用いる、
ことを特徴とする膜濾過システム。
【手続補正書】
【提出日】平成20年6月9日(2008.6.9)
【手続補正１】
【補正対象書類名】特許請求の範囲
【補正対象項目名】全文
【補正方法】変更
【補正の内容】
【特許請求の範囲】
【請求項１】
熱溶融性高分子化合物からなる繊維が数平均繊維直径０．０１〜２μｍに枝分かれした繊維を含む多孔質シートを用いてなることを特徴とするフィルター。
【請求項２】
前記多孔質シートが、前記枝分かれ繊維の繊維径より３倍から４００倍大きい他の繊維を少なくとも２種類含むことを特徴とするフィルター。
【請求項３】
多孔質シート表面に、表面積０．０１ｃｍ２中に存在する平均繊維本数が１本以上である不織布が積層された不織布付き多孔質シートを用いてなる請求項１または２記載のフィルター。
【請求項４】
枝分かれした繊維が、ポリマーアロイ製法を利用して作られた繊維であることを特徴とする請求項１〜３のいずれかに記載のフィルター。
【請求項５】
不織布が、エレクトレット不織布である請求項３記載のフィルター。
【請求項６】
枝分かれした繊維が、ポリアミド、ポリエステル、ポリオレフィンおよびポリ乳酸繊維からなる群から選ばれた少なくとも１種類の繊維である請求項１〜５のいずれかに記載のフィルター。
【請求項７】
多孔質シートが抄紙法により製造され、バインダー付着率５％以下または熱融着型繊維で繊維間が接着されシート化されてなる請求項１〜６のいずれかに記載のフィルター。
【手続補正２】
【補正対象書類名】明細書
【補正対象項目名】０００８
【補正方法】変更
【補正の内容】
【０００８】
本発明のフィルターの好ましい態様によれば、本発明のフィルターとして、前記多孔質シートが、前記枝分かれ繊維の繊維径より３倍から４００倍大きい他の繊維を少なくとも２種類含むことを特徴とするフィルターを用いることができる。また、前記の多孔質シート表面に、表面積０．０１ｃｍ２中に存在する平均繊維本数が１本以上である不織布が積層された不織布付き多孔質シートを用いることができる。
【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
複数の画像を所定期間ずつ順に切換えて表示する表示ユニットと、
前記表示ユニットによって表示されている画像の印刷要求を入力する入力ユニットと、
前記表示ユニットによって表示されている画像が切換ると、前記印刷要求の入力の有無
に関わらず、前記表示ユニットによって表示されている画像の印刷データの生成処理を開
始する印刷準備ユニットと、
前記印刷要求に応じて前記印刷データを印刷ユニットに出力する出力ユニットと、を備
える画像表示装置。
【請求項２】
前記印刷準備ユニットは、前記表示ユニットが表示対象画像を切換えた直後に前記印刷
データの生成処理を開始する、
請求項１に記載の画像表示装置。
【請求項３】
前記印刷準備ユニットは、印刷枚数をゼロに設定して前記印刷データの生成処理を開始
する、
請求項１に記載の画像表示装置。
【請求項４】
前記印刷要求が入力された画像の前記印刷データを格納するためのメモリをさらに備え
、
前記印刷準備ユニットは、前記メモリの空き容量に応じて前記印刷データの生成処理を
開始又は延期する、
請求項１に記載の画像表示装置。
【請求項５】
前記表示ユニットは、前の画像の前記印刷データの生成処理を前記印刷準備ユニットが
完了する前に次の画像を表示する、
請求項１に記載の画像表示装置。
【請求項６】
前記表示ユニットは、前の画像の印刷データの出力を前記印刷ユニットが完了する前に
次の画像を表示する、
請求項１に記載の画像表示装置。
【請求項７】
複数の画像を所定期間ずつ順に切換えて表示し、
表示している画像の印刷要求を入力し、
表示している画像が切換ると、前記印刷要求の入力の有無に関わらず、表示している画
像の印刷データの生成処理を開始し、
前記印刷要求に応じて前記印刷データを印刷ユニットに出力する、
画像表示方法。
【請求項８】
複数の画像を所定期間ずつ順に切換えて表示する表示手段と、
前記表示手段によって表示されている画像の印刷要求を入力する入力手段と、
前記表示手段によって表示されている画像が切換ると、前記印刷要求の入力の有無に関
わらず、前記表示手段によって表示されている画像の印刷データの生成処理を開始する印
刷準備手段と、
前記印刷要求に応じて前記印刷データを印刷手段に出力する手段としてコンピュータを
機能させる画像表示プログラム。
【手続補正２】
【補正対象書類名】明細書
【補正対象項目名】０００６
【補正方法】変更
【補正の内容】
【０００６】
（１）上記目的を達成するための画像表示装置は、複数の画像を所定期間ずつ順に切換
えて表示する表示ユニットと、前記表示ユニットによって表示されている画像の印刷要求
を入力する入力ユニットと、前記表示ユニットによって表示されている画像が切換ると、
前記印刷要求の入力の有無に関わらず、前記表示ユニットによって表示されている画像の
印刷データの生成処理を開始する印刷準備ユニットと、前記印刷要求に応じて前記印刷デ
ータを印刷ユニットに出力する出力ユニットと、を備える。また、前記印刷準備ユニット
は、前記表示ユニットが表示対象画像を切換えた直後に前記印刷データの生成処理を開始
してもよい。
スライドショーによって表示されている画像について印刷要求を入力可能な状態で、印
刷要求の入力の有無に関わらず、表示対象画像が切換わると印刷データの生成を開始する
ことにより、画像表示装置でスライドショー実行中に画像表示装置が印刷要求を受け付け
てから、印刷ユニットで印刷が開始されるまでの応答時間を短縮することができる。印刷
データの生成処理は画像を切換えた直後に開始してもよい。
前記印刷準備ユニットは、印刷枚数をゼロに設定して前記印刷データの生成処理を開始
してもよい。印刷枚数をゼロに設定して印刷データの生成処理を開始することにより、そ
の画像の印刷要求が入力されていない場合、たとえ印刷データの生成が完了したとしても
実際の印刷は実行されない。
【手続補正３】
【補正対象書類名】明細書
【補正対象項目名】００１０
【補正方法】変更
【補正の内容】
【００１０】
（５）上記目的を達成するための画像表示方法は、複数の画像を所定期間ずつ順に切換
えて表示し、表示している画像の印刷要求を入力し、表示している画像が切換ると、前記
印刷要求の入力の有無に関わらず、表示している画像の印刷データの生成処理を開始し、
前記印刷要求に応じて前記印刷データを印刷ユニットに出力する。
表示対象画像について印刷要求を入力可能な状態で、印刷要求の入力の有無に関わらず
、表示対象画像が切換ると印刷データの生成を開始することにより、スライドショー実行
中に画像表示装置が印刷要求を受け付けてから、印刷ユニットで印刷が開始されるまでの
応答時間を短縮することができる。
【手続補正４】
【補正対象書類名】明細書
【補正対象項目名】００１１
【補正方法】変更
【補正の内容】
【００１１】
（６）上記目的を達成するための画像表示プログラムは、複数の画像を所定期間ずつ順
に切換えて表示する表示手段と、前記表示手段によって表示されている画像の印刷要求を
入力する入力手段と、前記表示手段によって表示されている画像が切換ると、前記印刷要
求の入力の有無に関わらず、前記表示手段によって表示されている画像の印刷データの生
成処理を開始する印刷準備手段と、前記印刷要求に応じて前記印刷データを印刷手段に出
力する手段としてコンピュータを機能させる。
表示対象画像について印刷要求を入力可能な状態で、印刷要求の入力の有無に関わらず
、表示対象画像の切換ると印刷データの生成を開始することにより、スライドショー実行
中に画像表示装置が印刷要求を受け付けてから、印刷ユニットで印刷が開始されるまでの
応答時間を短縮することができる。
【手続補正書】
【提出日】平成20年6月20日(2008.6.20)
【手続補正１】
【補正対象書類名】特許請求の範囲
【補正対象項目名】全文
【補正方法】変更
【補正の内容】
【特許請求の範囲】
【請求項１】
複数の記録ヘッドを搭載した記録ユニットを備え、前記記録ユニット単位で記録ヘッドの交換を行う記録装置において、
記録媒体に対する記録ずれを調整する為のレジストレーション調整値を求める手段と、
前記求められたレジストレーション調整値を記憶する調整値記憶手段と、
記録媒体への記録時に前記記憶されたレジストレーション調整値を用いて記録ずれを調整する記録ずれ調整手段と、
前記記録ユニットの交換時にレジストレーション調整値の更新を行う制御手段とを備え、
前記記録ユニットは、当該記録ユニット内のヘッド相互位置情報を記憶する情報記憶手段を有し、
前記制御手段は交換前後の記録ユニットのヘッド相互位置情報の差分を求め、この差分で前記記憶されたレジストレーション調整値を更新する
ことを特徴とする記録装置。
【請求項２】
前記レジストレーション調整値は、記録媒体の種別に複数管理可能であることを特徴とする請求項１に記載の記録装置。
【請求項３】
前記記録ユニットは、記録媒体の全幅に亘って配列された複数の記録要素を有し、当該配列方向とほぼ直交する方向に記録媒体に対して相対的に移動することを特徴とする請求項１または２記載の記録装置。
【請求項４】
複数の記録ヘッドを搭載した記録ユニットを備え、前記記録ユニット単位で記録ヘッドの交換を行う記録装置におけるレジストレーション調整方法であって、
各記録ユニットに当該記録ユニット内のヘッド相互位置情報を記憶させておくステップと、
初期的にレジストレーション調整用パターンの記録に基づいて記録ユニットの記録ヘッドについてレジストレーション調整値を求めてこれを不揮発的に記憶しておくステップと、
記録ユニットの交換時に交換前後の両記録ユニット内のヘッド相互位置情報の差分を求めるステップと、
前記求められた差分を前記記憶されているレジストレーション調整値に反映させるステップと
を備えたことを特徴とするレジストレーション調整方法。
【手続補正２】
【補正対象書類名】明細書
【補正対象項目名】発明の名称
【補正方法】変更
【補正の内容】
【発明の名称】記録装置およびレジストレーション調整方法
【手続補正書】
【提出日】平成20年8月29日(2008.8.29)
【手続補正１】
【補正対象書類名】明細書
【補正対象項目名】特許請求の範囲
【補正方法】変更
【補正の内容】
【特許請求の範囲】
【請求項１】 フレキシブルプリント基板同士又はフレキシブルプリント基板とプリント基板を取り付け部材に位置決め固定するコネクターにおいて、前記取り付け部材と一体に形成された取り付け座と、前記フレキシブルプリント基板同士又はフレキシブルプリント基板とプリント基板の圧接接続部に当てがわれる弾性部材で構成された弾性押圧部材と、該弾性押圧部材を弾性変形させて圧接接続部に押圧力を付与しながら第１、第２のビスにより前記取り付け部材に固定される押え部材とを有し、
前記押え部材には、前記第１、第２のビスを挿入する２つのビス穴が設けられており、前記第１のビスを挿入するビス穴には切り欠きが形成されており、前記取り付け座には前記第１、第２のビスを挿入する２つのビス穴が設けられており、前記第１のビスを挿入するビス穴の近傍には前記切り欠きと係合する突起が設けられていることを特徴とするコネクター。
【請求項２】 前記押え部材に設けられた前記第２のビスを挿入するビス穴の近傍には穴が形成されており、前記取り付け座の前記第２のビスを挿入するビス穴の近傍には前記穴と係合する突起が設けられていることを特徴とする請求項１に記載のコネクター。
【手続補正２】
【補正対象書類名】明細書
【補正対象項目名】０００８
【補正方法】変更
【補正の内容】
【０００８】
【課題を解決するための手段】
上記目的を達成するため、請求項１記載の発明は、フレキシブルプリント基板同士又はフレキシブルプリント基板とプリント基板を取り付け部材に位置決め固定するコネクターにおいて、前記取り付け部材と一体に形成された取り付け座と、前記フレキシブルプリント基板同士又はフレキシブルプリント基板とプリント基板の圧接接続部に当てがわれる弾性部材で構成された弾性押圧部材と、該弾性押圧部材を弾性変形させて圧接接続部に押圧力を付与しながら第１、第２のビスにより前記取り付け部材に固定される押え部材とを有し、前記押え部材には、前記第１、第２のビスを挿入する２つのビス穴が設けられており、前記第１のビスを挿入するビス穴には切り欠きが形成されており、前記取り付け座には前記第１、第２のビスを挿入する２つのビス穴が設けられており、前記第１のビスを挿入するビス穴の近傍には前記切り欠きと係合する突起が設けられていることを特徴とする。
【手続補正３】
【補正対象書類名】明細書
【補正対象項目名】０００９
【補正方法】変更
【補正の内容】
【０００９】
請求項２記載の発明は、前記押え部材に設けられた前記第２のビスを挿入するビス穴の近傍には穴が形成されており、前記取り付け座の前記第２のビスを挿入するビス穴の近傍には前記穴と係合する突起が設けられていることを特徴とする。
【手続補正４】
【補正対象書類名】明細書
【補正対象項目名】００１０
【補正方法】削除
【補正の内容】
【手続補正書】
【提出日】平成20年7月17日(2008.7.17)
【手続補正１】
【補正対象書類名】明細書
【補正対象項目名】特許請求の範囲
【補正方法】変更
【補正の内容】
【特許請求の範囲】
【請求項１】  複数の貫通孔を有する耐熱性シートと、該貫通孔に挿入され、該耐熱性シートよりも厚くなって、該貫通孔から突出した突起部を形成する凹凸を有する導電性ブロックと、該導電性ブロックの突起部を含む該耐熱性シートの少なくとも一面上に設けられた熱硬化性接着剤で成る接着層とを有する一括電気接続用シート。
【請求項２】  該導電性ブロックが金属材料で成り、該突起部がエンボス加工によって形成されたものである請求項１記載の一括電気接続用シート。
【請求項３】  請求項１に記載の一括電気接続用シートの接着層上に導電性被着体を配置する工程、及び
一括電気接続用シートの接着層を加熱して一括電気接続用シートと該導電性被着体との間に圧力を加えながら、該導電性ブロックの突起部をもって接着層を貫通させ、導電性ブロックの表面及び裏面と被着体とを接触させる工程、
を包含する、一括電気接続方法。
【請求項４】  該導電性ブロックと導電性被着体との間に電流を通じて導電性ブロックの突起部と導電性被着体とを溶接する工程、を更に包含する請求項３記載の方法。
【請求項５】  該導電性ブロックと導電性被着体との間に熱エネルギーをかけて導電性ブロックの突起部と導電性被着体とを溶接する工程、を更に包含する請求項３記載の方法。
【請求項６】  請求項１に記載の一括電気接続シートと該一括電気接続シートの接着層上に設置された導電性被着体とを有しており、
該接着層が該導電性被着体に接着し、かつ、
該導電性ブロックの突起部が接着層を貫通して該導電性被着体と電気的に接触している、接続構造。
【請求項７】  該導電性被着体と前記突起部とが溶着又はろう付けされている請求項６に記載の接続構造。
【手続補正書】
【提出日】平成20年8月27日(2008.8.27)
【手続補正１】
【補正対象書類名】明細書
【補正対象項目名】請求項１
【補正方法】変更
【補正の内容】
【請求項１】  フレキシブルプリント回路基板と、該フレキシブルプリント回路基板と電気信号の接続をするための複数のコネクターが搭載される回路基板を有する電子機器において、前記フレキシブルプリント回路基板は、前記複数のコネクターの各々に対してそれぞれ独立して接続される接続端子部を有する接続腕部を有し、前記フレキシブルプリント回路基板の接続腕部のうちの少なくとも１つの腕部は、反転屈曲させて前記コネクターに接続して構成されることを特徴とするフレキシブルプリント回路基板を有する電子機器。
【手続補正２】
【補正対象書類名】明細書
【補正対象項目名】００１８
【補正方法】変更
【補正の内容】
【００１８】
【課題を解決するための手段】
上記目的を達成するため、本発明は、フレキシブルプリント回路基板と、該フレキシブルプリント回路基板と電気信号の接続をするための複数のコネクターが搭載される回路基板を有する電子機器において、前記フレキシブルプリント回路基板は、前記複数のコネクターの各々に対してそれぞれ独立して接続される接続端子部を有する接続腕部を有し、前記フレキシブルプリント回路基板の接続腕部のうちの少なくとも１つの腕部は、反転屈曲させて前記コネクターに接続して電子機器を構成したことを特徴とする。
【手続補正３】
【補正対象書類名】明細書
【補正対象項目名】００２３
【補正方法】変更
【補正の内容】
【００２３】
７ｂ−１は第２の接続腕部７ｂの第１延出部、７ｂ−２は第２の接続腕部７ｂの第２延出部であり、第２延出部７ｂ−２は第１延出部７ｂ−１に対して異なる角度で延出されている。本実施の形態では、互いに略９０度の角度を成すように設けられている。又、第１の接続腕部７ａと第２の接続腕部７ｂの第１延出部７ｂ−１も略９０度の角度を設け分岐されている。７７ａ，７７ｂはそれぞれ分岐した接続腕部７ａ，７ｂの先端に設けられた接続端子部であり、コネクターに接続された際に電気的導通が取られる。
【手続補正書】
【提出日】平成20年8月20日(2008.8.20)
【手続補正１】
【補正対象書類名】明細書
【補正対象項目名】発明の名称
【補正方法】変更
【補正の内容】
【発明の名称】色処理装置及び方法とプログラム
【手続補正２】
【補正対象書類名】明細書
【補正対象項目名】特許請求の範囲
【補正方法】変更
【補正の内容】
【特許請求の範囲】
【請求項１】
色度点で定義されたＲＧＢ色空間に対して、当該ＲＧＢ色空間のγ値を決定する色処理装置であって、
所定の範囲のγ値のそれぞれに対応して前記ＲＧＢ色空間の色を均等色空間に配置する配置手段と、
前記配置手段により配置された色間の色差の平均値及びその分散値を求める演算手段と、
前記演算手段により求められた分散値が小さいγ値を探索する探索手段と、
前記探索手段により探索されたγ値を前記ＲＧＢ色空間のγ値に割り当てる割り当て手段と、
を有することを特徴とする色処理装置。
【請求項２】
前記演算手段は、前記配置手段により配置された色間のＲＧＢの各軸方向の平均色差及びその分散値を求め、該ＲＧＢの各軸方向の分散値の平均を求め、
前記探索手段は、前記演算手段により求められた前記ＲＧＢの各軸方向の分散値の平均が小さいγ値を探索することを特徴とする請求項１記載の色処理装置。
【請求項３】
前記演算手段は、前記配置手段により配置された色間の色差に重み付け補正を行い、補正後の色の平均値及びその分散値を求めることを特徴とする請求項１又は２に記載の色処理装置。
【請求項４】
色度点で定義されたＲＧＢ色空間に対して、当該ＲＧＢ色空間のγ値を決定する色処理方法であって、
所定の範囲のγ値のそれぞれに対応して前記ＲＧＢ色空間の色を均等色空間に配置する配置工程と、
前記配置工程で配置された色間の色差の平均値及びその分散値を求める演算工程と、
前記演算工程で求められた分散値が小さいγ値を探索する探索工程と、
前記探索工程で探索されたγ値を前記ＲＧＢ色空間のγ値に割り当てる割り当て工程と、
を有することを特徴とする色処理方法。
【請求項５】
コンピュータを、請求項１乃至３のいずれか１項に記載の色処理装置として機能させるためのプログラム。
【手続補正３】
【補正対象書類名】明細書
【補正対象項目名】０００１
【補正方法】変更
【補正の内容】
【０００１】
【発明の属する技術分野】
本発明は、色度点で定義されたＲＧＢ色空間に対して、当該ＲＧＢ色空間のγ値を決定するものに関する。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
本発明は上記従来例に鑑みてなされたもので、色空間の変換処理を行うＲＧＢ色空間に用いるγ値を、より高精度に設定できるようにすることを目的とする。
【手続補正６】
【補正対象書類名】明細書
【補正対象項目名】０００８
【補正方法】変更
【補正の内容】
【０００８】
【課題を解決するための手段】
上記目的を達成するために本発明の色処理装置は以下のような構成を備える。即ち、
色度点で定義されたＲＧＢ色空間に対して、当該ＲＧＢ色空間のγ値を決定する色処理装置であって、
所定の範囲のγ値のそれぞれに対応して前記ＲＧＢ色空間の色を均等色空間に配置する配置手段と、
前記配置手段により配置された色間の色差の平均値及びその分散値を求める演算手段と、
前記演算手段により求められた分散値が小さいγ値を探索する探索手段と、
前記探索手段により探索されたγ値を前記ＲＧＢ色空間のγ値に割り当てる割り当て手段と、を有することを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
上記目的を達成するために本発明の色処理方法は以下のような工程を備える。即ち、
色度点で定義されたＲＧＢ色空間に対して、当該ＲＧＢ色空間のγ値を決定する色処理方法であって、
所定の範囲のγ値のそれぞれに対応して前記ＲＧＢ色空間の色を均等色空間に配置する配置工程と、
前記配置工程で配置された色間の色差の平均値及びその分散値を求める演算工程と、
前記演算工程で求められた分散値が小さいγ値を探索する探索工程と、
前記探索工程で探索されたγ値を前記ＲＧＢ色空間のγ値に割り当てる割り当て工程と、を有することを特徴とする。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００３０
【補正方法】変更
【補正の内容】
【００３０】
図６は、本発明の実施の形態２に係る処理を説明するフローチャートで、ここではγ値を「１．０」から「２．２」まで「０．１」単位で変化させながら、Ｒ，Ｇ，Ｂの各軸方向の色差を計算し、色空間全体での色差の平均と、その分散値を求める処理の概要を示している。
【手続補正１３】
【補正対象書類名】明細書
【補正対象項目名】００７１
【補正方法】削除
【補正の内容】
【手続補正１４】
【補正対象書類名】明細書
【補正対象項目名】００７２
【補正方法】変更
【補正の内容】
【００７２】
【発明の効果】
以上説明したように本発明によれば、色空間の変換処理を行うＲＧＢ色空間に用いるγ値を、より高精度に設定できるという効果がある。